(57)【特許請求の範囲】
【請求項１】
基板に初期形状としての窪みを形成する初期形状工程と、
前記窪みをイオン加工によりマイクロレンズ成形用凹部に形成するイオン加工工程とを順に実行する製法であって、
前記基板が、等方性を有しない単結晶材料であり、
前記窪みは、貫通孔でなく底が点状または線状である非定形の凹所であり、
前記イオン加工工程が、前記基板に対し不活性なガスをイオン化ガスとして用い、加速したイオンを前記基板に照射して物理的に原子を除去する除去加工である
ことを特徴とするマイクロレンズ用金型の製法。
【請求項２】
基板に初期形状としての窪みを形成する初期形状工程と、
前記窪みをイオン加工によりマイクロレンズ用凹部に形成するイオン加工工程とを順に実行する製法であって、
前記基板が、等方性を有しない単結晶材料であり、
前記窪みは、貫通孔でなく底が点状または線状である非定形の凹所であり、
前記イオン加工工程が、前記基板に対し不活性なガスをイオン化ガスとして用い、加速したイオンを前記基板に照射して物理的に原子を除去する除去加工である
ことを特徴とするマイクロレンズの製法。
【請求項３】
請求項１の製法により得られた、サファイア製の基板上にマイクロレンズ成形用凹部を形成した
ことを特徴とするマイクロレンズ用金型。
【請求項４】
請求項１の製法により得られた、サファイア製の基板に複数個のマイクロレンズ成形用凹部を整列させて形成すると共に、各マイクロレンズ成形用凹部の周囲に非レンズ部分が無くなるように各マイクロレンズ成形用凹部が互いに接触して形成されている
ことを特徴とするマイクロレンズ用金型。
【請求項５】
請求項２の製法により得られた、サファイア製の基板上にマイクロレンズ用凹部を形成した
ことを特徴とするマイクロレンズ。
【請求項６】
請求項２の製法により得られた、サファイア製の基板に複数個のマイクロレンズ用凹部を整列させて形成すると共に、各マイクロレンズ用凹部の周囲に非レンズ部分が無くなるように各マイクロレンズ用凹部が互いに接触して形成されている
ことを特徴とするマイクロレンズ。
【発明の詳細な説明】
【技術分野】
【０００１】
本発明は、マイクロレンズ用金型、マイクロレンズおよびそれらの製法に関する。マイクロレンズは、大きさ（直径）が数ｍｍ以下の小さいレンズをいい、これらのマイクロレンズは多数個を整然と並べたマイクロレンズアレイの形で使用したり、マイクロレンズ単体で使用される（非特許文献１）。本発明は、このようなマイクロレンズ、またマイクロレンズを製造する場合に必要な金型と、それらの製法に関する。
なお、本明細書においては、マイクロレンズとはマイクロレンズアレイとマイクロレンズ単体の両方を含む意味であり、とくに必要がある場合のみマイクロレンズアレイまたはマイクロレンズ単体の用語を用いている。
【背景技術】
【０００２】
写真機、光学顕微鏡などに用いるレンズは、光学材料を研磨したり、金型を作製して成形加工したりして製造されている。しかし、寸法の小さいマイクロレンズの製造には、これらの通常のレンズの製造方法が適用できない。
そこで、マイクロレンズには、つぎのような製法が用いられる。なお、マイクロレンズは屈折型と回折型に二分されるので、それぞれ分けて説明する。
【０００３】
回折型マイクロレンズには、主として、半導体集積回路などの製造に用いられている技術を応用して製造される。すなわち、その製造はホトリソグラフィ、電子線リソグラフィなどを用いて行われるが、ホトリソグラフィでは重ね合わせ精度が厳しい、電子線リソグラフィでは円などの特殊な形状の露光が必要、また生産性が低い、という欠点がある。また、回折形マイクロレンズには、色収差が大きい、光の集束効率が低い、という欠点がある。
【０００４】
屈折型マイクロレンズには、イオン交換法、リフロー法などが代表的な製造方法として適用される。
前記イオン交換法により屈折型マイクロレンズアレイを製造する場合、マイクロレンズ作製箇所に穴を設けた金属膜をガラス基板に形成し、この状態で溶融塩に浸す。溶融塩としてタリウム硫酸塩を使用した場合、ガラス基板を100時間以上浸す。この製法では、時間がかかるばかりか、理想的な屈折率分布を得ることは困難で、特に、マイクロレンズ周辺部の収差が大きくなるという欠点がある。
【０００５】
前記リフロー法は、図２６（Ａ）に示すように、次の４工程からなる（非特許文献２の1282頁Fig.1参照）。
（ａ）アルミニウム薄膜を石英基板に形成し、アルミニウム薄膜に１５μｍ径の穴を形成する。（ｂ）直径３０μｍの円形台座を前記穴の上に形成する。円形台座は溶媒に対して不溶解で、180℃以上の温度に対して安定となるように処理される。（ｃ）フォトレジストによる直径２５μｍ、高さ１２μｍの円柱を円形台座上に形成する。（ｄ）140℃で１５分加熱すると、球面状のマイクロレンズアレイが製造される。
上記のリフロー法における球面形への変形は、表面張力によって表面エネルギーを最少化する原理を利用したものである。
【０００６】
しかし、このリフロー法では、表面張力が外乱の影響を受けやすいことから、正確な寸法が得られず、レンズの光学性能にバラツキが生ずる。また、レンズアレイを製造する場合には、表面張力で変形中の球の形が崩れないようにするため、互いに接触させてはならず、図２６（Ｂ）に示すように、隣接する球状レンズ間に非レンズ部分（つまりレンズでない平坦な部分）が生ずる（非特許文献２の1283頁Fig.４参照）。このような非レンズ部分はレンズアレイとして使用するとき、非レンズ部分を通過する光は逆光となって、雑音の増大、光通過効率の低減、クロストークの発生などの欠点を生ずる。従来、非レンズ部分をなくすることが困難なため、（アレイ領域の面積−アレイ領域内の非レンズ部分の面積）／アレイ領域の面積を“fill factor”と称し、マイクロレンズアレイ性能評価の一つの指標にしている位である。
【０００７】
以上のように、従来の製造法で製作される屈折形マイクロレンズは、せいぜいほぼ球面とまでしか言えないものである。これでは光の集束作用はあるが、普通の大きさのレンズのような集束状態ではなく、光の利用効率の向上程度に利用できる程度である。換言すれば、高い光学性能を満たす屈折型マイクロレンズは存在しないというのが現状である。
【先行技術文献】
【非特許文献】
【０００８】
【非特許文献１】オプトエレクトロニクス用語事典  平成８年１１月２５日第１版発行  （株）オーム社  編者田中俊一外２名  439〜440頁，586頁
【非特許文献２】アプライドオプティクス  １９８８年４月１日  Vol.２７，No.７  1281〜1284頁「テクニク  フォー  モノリシック  ファブリケーション  オブ  マイクロレンズアレイ」
【発明の概要】
【発明が解決しようとする課題】
【０００９】
本発明は上記事情に鑑み、設計どおりの形状の金型が得られ、高性能な光学性能を発揮しうる屈折形のマイクロレンズ、マイクロレンズを製造する金型、それらの製法を提供することを目的とする。
【課題を解決するための手段】
【００１０】
第１発明のマイクロレンズ用金型の製法は、基板に初期形状としての窪みを形成する初期形状工程と、前記窪みをイオン加工によりマイクロレンズ成形用凹部に形成するイオン加工工程とを順に実行する製法であって、前記基板が、等方性を有しない単結晶材料であり、前記窪みは、貫通孔でなく底が点状または線状である非定形の凹所であり、前記イオン加工工程が、前記基板に対し不活性なガスをイオン化ガスとして用い、加速したイオンを前記基板に照射して物理的に原子を除去する除去加工であることを特徴とする。
第２発明のマイクロレンズの製法は、基板に初期形状としての窪みを形成する初期形状工程と、前記窪みをイオン加工によりマイクロレンズ用凹部に形成するイオン加工工程とを順に実行する製法であって、前記基板が、等方性を有しない単結晶材料であり、
前記窪みは、貫通孔でなく底が点状または線状である非定形の凹所であり、前記イオン加工工程が、前記基板に対し不活性なガスをイオン化ガスとして用い、加速したイオンを前記基板に照射して物理的に原子を除去する除去加工であることを特徴とする。
第３発明のマイクロレンズ用金型は、請求項１の製法により得られた、サファイア製の基板上にマイクロレンズ成形用凹部を形成したことを特徴とする。
第４発明のマイクロレンズ用金型は、請求項１の製法により得られた、サファイア製の基板に複数個のマイクロレンズ成形用凹部を整列させて形成すると共に、各マイクロレンズ成形用凹部の周囲に非レンズ部分が無くなるように各マイクロレンズ成形用凹部が互いに接触して形成されていることを特徴とする。
第５発明のマイクロレンズは、請求項２の製法により得られた、サファイア製の基板上にマイクロレンズ用凹部を形成したことを特徴とする。
第６発明のマイクロレンズは、請求項２の製法により得られた、サファイア製の基板に複数個のマイクロレンズ用凹部を整列させて形成すると共に、各マイクロレンズ用凹部の周囲に非レンズ部分が無くなるように各マイクロレンズ用凹部が互いに接触して形成されていることを特徴とする。
【発明の効果】
【００１１】
第１発明の製法によれば、まず、初期形状工程により、基板の表面に窪みを形成し、ついで、イオン加工によって窪みを断面視で湾曲面となるように除去していって、球面状または円筒面状のマイクロレンズ成形用凹部有する金型を形成することができる。そして、この製法はつぎの利点がある。
Ａ）イオンがシャワー状となって照射し、主に物理的な作用により窪みも含めた基板材料を除去する。この加工工程においては、イオン加工速度が基板へのイオン入射角に依存して変化し、特に、イオン入射角θが０度（試料面に垂直入射）からある角度θｍａｘの範囲において、イオン入射面の変化とともに一定速度で移動する座標系においてイオン入射面の法線方向の加工速度を求めた場合、この加工速度が一定になることから、窪みが真球度の高いマイクロレンズ成形用凹部に形成される。
Ｂ）イオン照射による除去量は加工時間と比例関係にあるので、加工の進展度合を時間で正確に制御することができ、マイクロレンズ単体用の金型も非レンズ部分を無くしたマイクロレンズアレイ用の金型も任意に製造することができる。
Ｃ）基板に等方性を有しない単結晶材料を使うので、従来製法のように等方性材料に制約されず、材料選択上の自由度が高くなる。
Ｄ）窪みの初期形状は底が点状または線状であればよく、不定形な形状であってよい。
第２発明の製法によれば、まず、初期形状工程により、基板の表面に窪みを形成し、ついで、イオン加工によって窪みを断面視で湾曲面となるように除去していって、球面状または円筒面状のマイクロレンズ用凹部を有するマイクロレンズを形成することができる。そして、この製法はつぎの利点がある。
Ａ）イオンがシャワー状となって照射し、主に物理的な作用により窪みも含めた基板材料を除去する。この加工工程においては、イオン加工速度が基板へのイオン入射角に依存して変化し、特に、イオン入射角θが０度（試料面に垂直入射）からある角度θｍａｘの範囲において、イオン入射面の変化とともに一定速度で移動する座標系においてイオン入射面の法線方向の加工速度を求めた場合、この加工速度が一定になることから、窪みが真球度の高いマイクロレンズ用凹部に形成される。
Ｂ）イオン照射による除去量は加工時間と比例関係にあるので、加工の進展度合を時間で正確に制御することができ、マイクロレンズ単体も非レンズ部分を無くしたマイクロレンズアレイも任意に製造することができる。
Ｃ）基板に等方性を有しない単結晶材料を使うので、従来製法のように等方性材料に制約されず、材料選択上の自由度が高くなる。
Ｄ）窪みの初期形状は底が点状または線状であればよく、不定形な形状であってよい。
第３発明の金型によれば、マイクロレンズ成形用凹部をそのまま金型としたり、母型として用いることにより、マイクロレンズ単体またはマイクロレンズアレイの製造ができる。
また、材料がサファイヤであるので、融点が高く、硬度が高いため現在利用されているあらゆる光学材料（光学ガラス、光学プラスチック）によってマイクロレンズを成形するための金型が得られ、また、サファイヤ結晶欠陥が少ないので、金型表面に欠陥のない金型が得られる。
第４発明の金型によれば、光学的には不要で性能劣化の原因となる非レンズ部分が存在しないマイクロレンズ単体やマイクロレンズアレイを製造できる。
また、材料がサファイヤであるので、融点が高く、硬度が高いため現在利用されているあらゆる光学材料（光学ガラス、光学プラスチック）によってマイクロレンズを成形するための金型が得られ、また、サファイヤ結晶欠陥が少ないので、金型表面に欠陥のない金型が得られる。
第５発明によれば、マイクロレンズ用凹部をそのままレンズとしたマイクロレンズ単体またはマイクロレンズアレイが得られる。
また、材料がサファイヤであるので、融点が高いため高温環境下でも使用でき、硬度が高いため傷付きにくいので悪環境下でも使用でき、結晶欠陥が少ないので光学性能の優れたマイクロレンズが得られる。
第６発明によれば、光学的には不要で性能劣化の原因となる非レンズ部分が存在しないマイクロレンズ単体やマイクロレンズアレイが得られる。
また、材料がサファイヤであるので、融点が高いため高温環境下でも使用でき、硬度が高いため傷付きにくいので悪環境下でも使用でき、結晶欠陥が少ないので光学性能の優れたマイクロレンズが得られる。
【図面の簡単な説明】
【００１２】
【図１】本発明の概要を示すブロック図である。
【図２】本発明の製法における工程説明図である。
【図３】本発明におけるイオン加工の説明図である。
【図４】球面状凹部を形成するイオン加工の説明図である。
【図５】円筒状凹部を形成するイオン加工の説明図である。
【図６】シリコンにおけるイオン加工速度のイオン入射角依存性の説明図である。
【図７】（Ａ）図はイオン加工における加工時間と加工量の関係を示すグラフ、（Ｂ）図は加工量と曲率半径の関係を示すグラフである。
【図８】シリコンにおけるイオン加工速度のイオン入射依存性の説明図であり、図６におけるグラフ（Ｂ），（Ｃ）を重ねたグラフである。
【図９】サファイヤにおけるイオン加工速度のイオン入射依存性の説明図である。
【図１０】実施例１における初期形状を示すもので、（Ａ）図は断面形状を粗さ計で測定したグラフ、（Ｂ）図は２０倍で見た電子顕微鏡写真である。
【図１１】実施例１における５時間加工後を示すもので、（Ａ）図は断面形状を粗さ計で測定したグラフ、（Ｂ）図は２０倍で見た電子顕微鏡写真である。
【図１２】実施例１における１０時間加工後を示すもので、（Ａ）図は断面形状を粗さ計で測定したグラフ、（Ｂ）図は２０倍で見た電子顕微鏡写真である。
【図１３】実施例１における１５時間加工後を示すもので、（Ａ）図は断面形状を粗さ計で測定したグラフ、（Ｂ）図は２０倍で見た電子顕微鏡写真である。
【図１４】実施例１における２０時間加工後を示すもので、（Ａ）図は断面形状を粗さ計で測定したグラフ、（Ｂ）図は２０倍で見た電子顕微鏡写真である。
【図１５】実施例１における２５時間加工後を示すもので、（Ａ）図は断面形状を粗さ計で測定したグラフ、（Ｂ）図は２０倍で見た電子顕微鏡写真である。
【図１６】実施例１における１５時間加工後の断面形状に円弧を重ねたグラフである。
【図１７】実施例１における２０時間加工後の断面形状に円弧を重ねたグラフである。
【図１８】実施例１における２５時間加工後の断面形状に円弧を重ねたグラフである。
【図１９】実施例３における初期形状を示すもので、（Ａ）図は断面形状を粗さ計で測定したグラフ、（Ｂ）図は電子顕微鏡写真である。
【図２０】実施例３における２時間加工後を示すもので、（Ａ）図は断面形状を粗さ計で測定したグラフ、（Ｂ）図は電子顕微鏡写真である。
【図２１】実施例３における４時間加工後を示すもので、（Ａ）図は断面形状を粗さ計で測定したグラフ、（Ｂ）図は電子顕微鏡写真である。
【図２２】実施例３における６時間加工後を示すもので、（Ａ）図は断面形状を粗さ計で測定したグラフ、（Ｂ）図は電子顕微鏡写真である。
【図２３】実施例３における８時間加工後を示すもので、（Ａ）図は断面形状を粗さ計で測定したグラフ、（Ｂ）図は電子顕微鏡写真である。
【図２４】実施例３における１０時間加工後を示すもので、（Ａ）図は断面形状を粗さ計で測定したグラフ、（Ｂ）図は電子顕微鏡写真である。
【図２５】実施例３における１２時間加工後を示すもので、（Ａ）図は断面形状を粗さ計で測定したグラフ、（Ｂ）図は電子顕微鏡写真である。
【図２６】従来技術の説明図である。
【発明を実施するための形態】
【００１３】
つぎに、本発明の実施形態を説明するが、以下の説明は大きく分けて、<<本発明の概要>>、<<本発明における製法の詳細>>、<<理論的根拠の説明>>、<<本発明の技術原理>>となっている。
【００１４】
<<本発明の概要>>
本発明においてマイクロレンズ用金型もマイクロレンズも同じ製法が用いられる。以下それらの製法を、図１に基づき説明する。
本発明の製法は、単結晶材料の基板１に初期形状としての窪み２を形成する初期形状工程100と、前記窪み２をイオン加工により球面状凹部または円筒状凹部に形成するイオン加工工程200とを順に実行することを特徴とする。加工終了後の基板１は、金型としても使用でき、そのままマイクロレンズとしても使用できる。
また、その金型を直接、金型として用いたり母型として用いることによりマイクロレンズを製造できる。金型としての使用法は公知の転写法などを用いることができる。
なお、本明細書において、金型として使用するものの凹部をマイクロレンズ成形用凹部３といい、マイクロレンズとして使用するものの凹部をマイクロレンズ用凹部３という。
【００１５】
（基板）
本発明の製法には、基板１として単結晶のある材料が用いられる。等方性である必要はない。代表的な基板材料としては、つぎのものを例示できる。
サファイア、シリコンウエハ、水晶などの結晶性の基板
サファイアは、工学の分野では不純物を含まないAl2O3の単結晶を指している。
人工的に製造されているものとして、不純物を含まないサファイア以外に、チタン（Ti）を不純物として含むサファイア（色は青い）と、クロム（Cr）を不純物として含むルビーがある。どちらも単結晶であり、本発明の対象とする金型用基板として利用できる。
【００１６】
初期形状工程100とイオン加工工程200を図２および図３に基づき説明する。
（初期形状工程）
初期形状工程100は、基板１に窪み２を形成する工程である。図２（Ａ）図および図３（Ａ）図に示すように、窪み２は、四角錐である必要はなく、半球状や針状などの形状であって、底部があればよい。要するに貫通孔を除く非定形の凹所であればよい。本明細書では、このような非定形の凹所を「窪み」という。初期形状工程では、窪みを形成することができれば、種々の加工法を用いることができる。そして、後に詳述するように、窪み２の底が点状になっていれば球面状の凹部３ができ、窪み２の底が線状になっていれば円筒状の凹部３ができることになる。
【００１７】
（イオン加工工程）
図２（Ｂ）図および図３（Ｂ）図はイオン加工工程を示している。このイオン加工工程において、窪み２を形成した基板１にイオンを照射するイオン加工をする。本発明によるイオン加工は、物理的な作用によって窪み２を含む基板材料から原子、分子を除去する物理加工を主とする。このため、イオン種としては、基板材料に対して不活性なものを選択する。また、イオンはほぼ平行な状態にて、基板を照射するようにする。
イオン加工をしていくと、図２（Ｂ）における１工程から３工程への変化が示すように、初期形状の窪み２から球面あるいは円筒面の凹部３へ成長していく。これらの球面あるいは円筒面を断面視すると、湾曲面であり、イオン加工が進むにつれて、真球度に近い曲面（凹部３）となる。その理論的根拠は後述するとおりである。
また、図２から分るように、同じ基板１に複数の窪み２を形成しておくと、それぞれの窪み２から球面あるいは円筒面の凹部３が独立して成長していく。その過程では隣り合う球面あるいは円筒面の間に、非レンズ部分４が残っているが、さらに、イオン加工していくと、図２（Ｃ）の４工程に示すように、隣り合う窪み２から成長した球面あるいは円筒面の凹部３どうしが接触し、非レンズ部分が全くなくなった状態で、球面だけ、円筒面だけ、球面と円筒面だけ、からなる凹部３を得ることができる。これらの凹部３は、マイクロレンズ成形用凹部３となり、またマイクロレンズ用凹部３となる。なお、本明細書において、両方の凹部を総称するときは、単に凹部３という。
【００１８】
（球面の凹部３と円筒面の凹部３）
凹部３を球面にするか円筒面にするかは初期形状によって選択される。
図４に示すように、初期形状の窪み２が底部において１点で接する平面２ｅが存在するとき（Ａ図参照）、イオン加工によって形成される凹部３は球面状となる（Ｃ図参照）。
図５に示すように、初期形状の窪み２が底部において直線状に接する平面２ｌが存在するとき（Ａ図参照）、イオン加工によって形成される凹部３は円柱面（円筒面ともいう）となる（Ｃ図参照）。
なお、光学分野では、その曲面が球面の一部と一致する面を有するレンズを球面レンズ、その曲面が円筒面の一部と一致する面を有するレンズを円筒面レンズというので、本明細書でもその用法を用いる。また、円筒面のことを円柱面ともいう。
【００１９】
（金型としての利用とマイクロレンズとしての利用）
上記の製法により、基板１に凹部３が形成されると、その基板１を金型Ｍとして使用でき、また、基板１自体をマイクロレンズＬとしても利用できる。
そして、前記金型Ｍを使って公知の用法でマイクロレンズを製作することができる。
【００２０】
（金型Ｍの製法の利点）
本発明におけるマイクロレンズ用金型Ｍの製法の利点は、つぎのとおりである。
Ａ）真球度の高いマイクロレンズ成形用凹部３を有する金型Ｍが得られる。
Ｂ）マイクロレンズ成形用凹部３の曲率半径はイオン加工量と共に拡大するので、隣接するマイクロレンズ成形用凹部３の周縁が接するまでイオン加工を続けることにより金型面に不要な非レンズ部分を無くすることができる。
Ｃ）イオン加工による加工量の制御が高精度に行えるので、超微細なものから比較的大きいものまで、種々の寸法の金型Ｍが得られる。
Ｄ）基板１への加工装置（イオン加工）は、加工対象である基板寸法に応じて製造可能であるので、大面積の基板１を使って、大面積の金型Ｍが得られる。
【００２１】
（マイクロレンズの製法の利点）
本発明におけるマイクロレンズＬの製法の利点は、つぎのとおりである。
Ａ）真球度の高いマイクロレンズ用凹部３を有する屈折形のマイクロレンズＬが得られる。
Ｂ）マイクロレンズ用凹部３の曲率半径はイオン加工量と共に拡大するので、隣接するマイクロレンズ用凹部３の周縁が接するまでイオン加工を続けることにより、レンズ面に不要な非レンズ部分の無いマイクロレンズアレイＬを作成することができる。
Ｃ）イオン加工による加工量の制御が高精度に行えるので、超微細なものから比較的大きいものまで、種々の寸法のマイクロレンズＬが得られる。
Ｄ）基板への加工装置（イオン加工）は、加工対象である基板寸法に応じて製造可能であるので、大面積の基板を使って、大面積のマイクロレンズアレイＬが得られる。
【００２２】
（金型の利点）
本発明の製法で得られた金型Ｍの利点は、つぎのとおりである。
ａ）マイクロレンズ成形用凹部３の真球度が高いので、完全に近い球面からなる屈折形のマイクロレンズＬを再現性よく製造できる。
ｂ）マイクロレンズ成形用凹部３の形状は球面も円筒面も可能なので、球面のみ、円筒面のみ、球面と円筒面の組合せなど種々の形状のマイクロレンズＬやマイクロレンズアレイＬを製造できる。
ｃ）不要な非レンズ部分の無い金型Ｍを用いて、迷光を生じ、クロストークやノイズの原因となる非レンズ部分が全くないマイクロレンズアレイＬを製造できる。
ｄ）金型面に形成されるマイクロレンズ成形用凹部３自体が、超微細なものから比較的大きいものまで可能であるので、種々の寸法のマイクロレンズ単体ＬやマイクロレンズアレイＬの作製が可能となる。
ｅ）大面積の金型Ｍを用いることにより、大面積のマイクロレンズアレイＬの作製が可能である。
【００２３】
（マイクロレンズの利点）
本発明の製法で得られたマイクロレンズＬの利点は、つぎのとおりである。
ａ）真球度の高い球面を有する屈折形のマイクロレンズＬとなる。
ｂ）球面のみ、円筒面のみ、球面と円筒面の組合せなど種々の形状のマイクロレンズ単体ＬやマイクロレンズアレイＬとなる。
ｃ）迷光を生じ、クロストークやノイズの原因となる非レンズ部分が全くないマイクロレンズアレイＬとなる。
ｄ）超微細なものから比較的大きいものまで種々の寸法のマイクロレンズ単体ＬやマイクロレンズアレイＬとなる。
ｅ）大面積のマイクロレンズアレイＬとなる。
ｆ） 口径、焦点距離、形状、寸法などの光学特性、レンズ配置などに対する設計の自由度が高いマイクロレンズ単体ＬやマイクロレンズアレイＬとなる。
【００２４】
（本発明の金型で製作されたマイクロレンズの利点）
本発明で得られた金型Ｍを用いてマイクロレンズＬを製作する場合、直接、金型として利用したり、母型として利用できる。直接、金型として利用する場合、（ｉ）光硬化、（ii）樹脂への形状転写、光学ガラスへの転形転写、（iii）熱効果樹脂への形状転写等の転写技術が使える。母型として利用する場合は、プラスチック・フィルムに形状を転写する熱プレス用金型、溶融したプラスチック材料を高速度・高圧で充填し形状を転写する射出成形用金型、熱硬化樹脂を液状に近い状態で金型内に入れ、さらに加熱して樹脂を硬化させる熱硬化樹脂成形用金型などに利用できる。そして、このように使用する金型自体が上記の利点を有するので、つぎの利点を有するマイクロレンズＬが得られる。
ａ）金型の真球度が高いので、完全に近い球面からなる光学性能の高いマイクロレンズＬが得られる。
ｂ）金型Ｍの形状は球面、円筒面、それらの組合わせが可能なので、同様の種々の形状のマイクロレンズ単体ＬやマイクロレンズアレイＬが得られる。
ｃ）不要な非レンズ部分の無い金型を用いて、迷光を生じ、クロストークやノイズの原因となる非レンズ部分が全くないマイクロレンズアレイＬが得られる。
ｄ）金型面に形成されるマイクロレンズ用凹部自体が、超微細なものから比較的大きいものまで可能であるので、種々の寸法のマイクロレンズ単体ＬやマイクロレンズアレイＬが得られる。
ｅ）大面積の金型Ｍを用いることにより、大面積のマイクロレンズアレイＬが得られる。
ｆ） 口径、焦点距離、形状、寸法などの光学特性、レンズ配置などに対する設計の自由度が高いマイクロレンズ単体ＬやマイクロレンズアレイＬとなる。
【００２５】
（基板材料に特有の利点）
基板１がサファイヤであると、融点が高く、硬度が高いため現在利用されているあらゆるマイクロレンズを成形するための金型が得られ、また、サファイヤ結晶欠陥が少ないので、金型表面に欠陥のない金型が得られる。サファイヤ製金型を用いた場合は、現在利用されている全ての光学ガラスにマイクロレンズが転写できる。このような転写技術はこれまで存在していないので、産業上の利用性を大きく拡大するものである。
【００２６】
<<本発明における製法の詳細>>
（初期形状工程100の詳細）
初期形状加工は基板に窪みを形成できれば種々の加工法を利用できるのであるが、具体的には、つぎのとおりである。
サファイア基板に対しては下記１のとおりであり、シリコン基板に対しては下記２のとおりである。また、例示しないが、水晶にも、下記加工法のいずれか、あるいは例示以外の加工法を任意に適用することができる。
1. サファイア基板に対して 
(1) レーザー加工 
(2) イオン加工 
・集束させたイオンビームによる加工 
・マスクを介して、平行束のイオンを照射 
(3) プラズマ加工 
(4) 化学エッチング 
2. シリコン基板に対して 
異方性化学エッチング以外では、結晶面の限定が不要である。 
(1) レーザー加工 
(2) イオン加工 
・集束させたイオンビームによる加工 
・マスクを介して、平行束のイオンを照射 
(3) プラズマ加工 
(4) 化学エッチング 
・等方性化学エッチング 
・異方性エッチングの後に等方性エッチング 
【００２７】
（イオン加工工程200の詳細）
このイオン加工工程200は、先に形成された初期形状である非定形の窪み２を凹部３（球面状凹部や円筒面状凹部）に加工していく工程である。
本工程は、図３（Ａ）に示すように、初期形状の窪み２を形成した基板１に、ほぼ平行な状態で運動するアルゴンイオンなどのイオンをシャワー状に照射することにより行う。
イオン照射すると、図３（Ｂ）に示すように、基板１の平面部分、すなわち表面と窪み２内の線状底部は平面を保ちながら除去加工が進行する。また、図４および図５に示すように、窪み２内の頂点、すなわち最深部の点２ｅや線部分２ｌの両端の点２ｅからは、湾曲面が広がっていく。イオン入射角が０である部分（表面や底の線状部分）のイオン加工速度は同じであるので、初期形状、すなわち窪み２の深さを保ったままで、イオン照射による除去加工は進行する。窪み２の頂点２ｅから形成されていく球面状凹部や円筒面状凹部が拡大していくと、それにつれて、窪み２内の平面部分はなくなっていき、やがて、窪み２が球面状凹部３や円筒面状凹部３に変化する。図４（Ｃ）および図５（Ｃ）は、そのようにして形成された球面の凹部３と円筒面の凹部３を示している。
【００２８】
（イオン加工の原理）
上記のイオン加工では、加工対象と化学反応を起こさない不活性ガスをイオン化ガスとして用い、基板表面にイオンを照射して除去加工する。これはイオン照射効果の中の一つを使った物理的加工である。
数十eV以上の運動エネルギーを持って照射されたイオンは、基板表面の原子に衝突し、運動エネルギーを表面原子に与える。このとき、表面原子が基板原子との結合を断ち切るだけのエネルギーを獲得すると、基板表面から飛ばされていく。１個の照射イオンによって表面からはじき出される原子の数をスパッタ収量という。スパッタ収量はイオン入射角θ（基板表面の法線方向とイオン入射方向の交わる角度をいう。）に依存して変化する。スパッタ数量をＹ（θ）とすると、多くの材料のＹ（θ）は図６（Ａ）に示すような曲線で表される。イオン入射角θを０から大きくしていくと、照射イオンが直接衝突した表面原子だけでなく、その原子から周りの原子にも運動エネルギーがつたわるようになり、Ｙ（θ）は増大していく。θ＝９０°の場合、照射イオンの運動方向は基板表面に平行となり、イオンの運動エネルギーはほとんど表面原子につたわらない。このため、θ＝９０°ではＹ（θ）＝０となる。このことからもわかるように、θが大きすぎてもイオンの運動エネルギーを表面原子に伝達する効率は低下する。このようなことから、Ｙ（θ）が最大となるθの値が存在する。Ｙ（θ）は、材料、イオン種、イオンの運動エネルギーなどによって変化する。スパッタ収量Ｙ（θ）を反映したものが、イオン加工速度Ｖのイオン入射角θへの依存性Ｖ（θ）であり、θ＝０における値をそれぞれＹ（０）＝１、Ｖ（０）＝１に規格化して、Ｙ（θ）とＶ（θ）とを同一のスケールで表すと、両者は一致する。本発明では、Ｖ（θ）がθに依存して変化していることを利用して、初期形状から球面状凹部や円筒面状凹部を形成するものである。
【００２９】
（イオン加工装置について）
上記のイオン加工には、イオン化した不活性ガス（He，Ne，Ar，Kr，Xe）を加速して、試料面を照射する機能をもち、物理的な作用を主体として除去加工を行うことができる装置でなければならず、それには、大別して下記の３種類がある。なお、本発明では、主として物理的な作用で基板を除去加工できればよく、Ｎ２（窒素）、ＣＯ２（炭酸ガス）、空気などのガスによるイオンも、加速電圧を大きくすれば、化学的作用よりも物理的作用による除去加工が大きくなるため、これらのガスを用いてもよい。
１  イオンビーム（イオンシャワー、イオンミリング）装置
ガス導入口を有し、そこから導入されたガスをイオン化する機能と、加速電圧を印加してイオンを加速する機能をもち、ほぼ平行なイオンビーム（イオンシャワーともいう）を発生するイオン源、試料を保持する機構を有し、イオンビームを試料に照射する加工室、イオン源、加工室など真空にする真空排気系を主な構成要素とした装置である。
２  平行平板形エッチング装置
高周波、あるいは直流電圧を印加するための平行平板、この平行平板の一方の電極面付近に設置した試料保持機構が、同じ真空容器内に設けられている。真空容器内に導入したガスを、高周波、あるいは直流電圧を平行平板に印加してイオン化する。ガスがイオン化すると、自己バイアスと呼ばれる電位差が試料保持機構のある電極位置付近に発生し、この電位差によってイオンが加速され試料面を照射する。これには、高周波放電を利用した装置（RFスパッタ装置、RFは13.56MHzの高周波のこと）や直流を利用した装置（直流(DC)スパッタ装置）がある。
３  マイクロ波プラズマエッチング装置
マグネトロンから発振される2.45GHzのマイクロ波でガスをイオン化する。高周波を試料保持具に印加して、試料に照射されるイオンの加速電圧を制御する。
【００３０】
<<理論的根拠の説明>>
（球面や円筒面加工ができる理由）
不活性ガスをイオン化し、加速したイオンを用いた物理的な除去加工であるイオン加工において、既述のごとくイオンを照射された試料のイオン加工速度Ｖは、試料表面へのイオン入射角θに依存して変化する。図６（Ｂ）に示すように、加工速度Ｖは、θの関数となり、Ｖ＝Ｖ（θ）と表される。ここで、イオン加工速度Ｖは、試料表面の基準面からイオン進行方向に沿って測る。また、θ＝０は、イオンの試料表面への垂直入射を示す。したがって、試料表面に平坦でない初期形状を形成しておくと、イオン加工が進むにつれて、初期形状がＶ（θ）に依存して変化する。この現象を利用して、球面状凹部や円筒面状凹部を形成する。
ここで、Ｖ（θ）が
Ｖ（θ）＝（Ａ＋Ｂ／cosθ）Ｖ０      （Ａ，Ｂ，Ｖ０：定数，Ａ＋Ｂ＝１）
と表される場合、初期形状として試料表面に窪み２を形成しておくと、その窪み２は、イオン加工の進行とともに、完全な球面や円筒面で構成された凹部３へと変化していく。イオン入射角θが０≦θ≦θｍａｘの範囲において上式が成立することは、Ｖ（θ）に関する実験結果（図６（Ｂ）参照）から示すことができる。ここで、θｍａｘは、その実験結果から求めることができる。
初期形状の最も深いところには、入射角θ＝０とみなすことができる点がある。一般には、基板表面（基板基準面）がθ＝０になるように、イオン加工装置に基板をセットするので、初期形状の最深部でθ＝０となる箇所（図４，図５に符号２ｅ，２ｌで示す箇所）と、基板表面とのイオン加工速度は同じになる。イオン加工は、初期形状の深さを一定に保ちながら進行し、初期形状は基板表面と同一の方向に広がっていく。したがって、マイクロレンズの厚さは、初期形状の深さ以上にはできない。初期形状の最も深いところに、いったん球面状凹部や円筒面状凹部が形成されると、その後、イオン加工の進行にともなって、球面状凹部や円筒面状凹部が風船を膨らますような形で広がっていく。
【００３１】
（数学的説明）
上記を数学的に説明すると、以下のとおりである。
［１］物理的なイオン加工によって球面や円筒面が形成されることの理論的根拠
不活性ガスからなるイオンを基板に照射し、物理的に除去加工する場合を考える。イオンはビーム状で、各イオンは一定の方向に平行に進むものとする。基板が除去される速度Ｖは、基板表面へのイオン入射角θに依存して変化する．イオン照射条件が一定とすると、イオン照射方向の加工速度は、
【数１】
0004915877.tif 000002
となる。図３（Ａ）に示すように、基板表面に平行にｘｙ平面、垂直にｚ軸をとる。イオンは−ｚ方向に進行する．時間ｔにおける基板表面形状を、
【数２】
0004915877.tif 000003
と表す。基板表面のｚ方向の加工速度は∂ｚ/∂ｔであるので、式(1)，(2)より、座標系の正負を考慮して、
【数３】
0004915877.tif 000004
となる。θは、基板表面（ｘ，ｙ）における法線とｚ軸とのなす角であり、
【数４】
0004915877.tif 000005
の関係式で与えられる。
ここで、Ｖ（θ）が、Ａ＋Ｂ＝１の関係を有する定数Ａ，Ｂ、およびＶ０＝Ｖ（０）を用いて、
【数５】
0004915877.tif 000006
と表されると仮定する。式(4)を式(3)に代入して移項し、
【数６】
0004915877.tif 000007
を得る。つぎに、式(6)におけるθがｘ，ｙ，ｚで表す。このため、ｆ（ｘ，ｙ，ｔ）を、
【数７】
0004915877.tif 000008
とおく。ｔを固定した場合、ｇ（ｘ，ｙ，ｔ）とｆ（ｘ，ｙ，ｔ）の差は一定であるので、ｚ＝ｇ（ｘ，ｙ，ｔ）はｚ＝ｆ（ｘ，ｙ，ｔ）をｚ方向に平行移動した曲面を表している。式(7)を式(6)に代入し、
【数８】
0004915877.tif 000009
を得る。ｚ＝ｇ（ｘ，ｙ，ｔ）上の（ｘ，ｙ）における法線方向の加工速度をＶｇｎとすると、Ｖｇｎは幾何学的な関係から、 
【数９】
0004915877.tif 000010
となる。式(9)に式(8)を代入して、
【数１０】
0004915877.tif 000011
の関係を得る。この式は、Ｖｇｎが一定であることを示している。
つぎに、ｚ＝ｇ（ｘ，ｙ，ｔ）が表す曲面の性質を求めるため、ｚ＝ｇ（ｘ，ｙ，ｔ）を
【数１１】
0004915877.tif 000012
と変形する。Ｇ（ｘ，ｙ，ｚ）＝ｔは時間ｔ＝ｔにおけるｚ＝ｇ（ｘ，ｙ，ｔ）の形状を表す。式(11)の両辺をｔ，ｘ，ｙでそれぞれ偏微分する。ｚはｔ，ｘ，ｙの関数であるので、
【数１２】
0004915877.tif 000013
となる。ｇ＝ｚであるので、式(8)においてｇをｚに置き換え、式(8)を変形すると、
【数１３】
0004915877.tif 000014
の関係が得られる。式(13)に式(4)を適用し、さらに、式(12)を代入して整理すると、
【数１４】
0004915877.tif 000015
が得られる。式(14)は、光学においてアイコナール方程式と呼ばれている。光学では、アイコナール方程式は波面を表す。Ｇ（ｘ，ｙ，ｚ）が球面または円柱面または平面の場合、Ｇ（ｘ，ｙ，ｚ）はそれぞれ式(15)，(16)，(17)で表される。これらの式における各定数を適当に定めることによって、各式が式(14)を満たすようにできる。
【数１５】
0004915877.tif 000016
【数１６】
0004915877.tif 000017
【数１７】
0004915877.tif 000018
以上のことは、Ｖ（θ）が式(5)で表される場合、加工量が充分に大きくなると、基板表面が球面、円柱面、平面を組合せた形状になることを示している。
【００３２】
（実験的説明）
上記理論的根拠を実験的に確認した（図６参照）。
［２］シリコンに対するイオン加工速度Ｖのイオン入射角θの依存性の確認
（球面や円筒面加工ができる理由）
不活性ガスをイオン化し、加速したイオンを用いた物理的な除去加工であるイオン加工において、イオンを照射された試料のイオン加工速度Ｖは、試料表面へのイオン入射角θに依存して変化する。加工速度Ｖは、θの関数となり、Ｖ＝Ｖ（θ）と表される。ここで、イオン加工速度Ｖは、試料表面の基準面からイオン進行方向に沿って測る。また、θ＝０は、イオンの試料表面への垂直入射を示す。したがって、試料表面に平坦でない初期形状を形成しておくと、イオン加工が進むにつれて、初期形状がＶ（θ）に依存して変化する。この現象を利用して、球面状凹部や円筒面状凹部を形成する。
ここで、Ｖ（θ）が
Ｖ（θ）＝（Ａ＋Ｂ／cosθ）Ｖ０      （Ａ，Ｂ，Ｖ０：定数，Ａ＋Ｂ＝１）
と表される場合、初期形状として試料表面に窪み２を形成しておくと、その窪み２は、イオン加工の進行とともに、完全な球面状や円筒面状で構成された凹部へと変化していく。イオン入射角θが０≦θ≦θｍａｘの範囲において上式が成立することは、Ｖ（θ）に関する実験結果（図６（Ｂ）参照）から示すことができる。ここで、θｍａｘは、その実験結果から求めることができる。
初期形状の最も深いところには、入射角θ＝０とみなすことができる点がある。一般には、試料表面（試料基準面）がθ＝０になるように、イオン加工装置に試料をセットするので、初期形状の最深部でθ＝０となる箇所と、試料表面とのイオン加工速度は同じになる。イオン加工は、初期形状の深さを一定に保ちながら進行し、初期形状は試料表面と同一の方向に広がっていく。したがって、マイクロレンズの厚さは、初期形状の深さ以上にはできない。初期形状の最も深いところに、一旦、球面状凹部や円筒面状凹部が形成されると、その後、イオン加工の進行にともなって、球面状凹部や円筒面状凹部が、風船を膨らますような形で広がっていく。
【００３３】
（加工時間と加工量、加工形状および曲率半径の相関関係）
図６はイオン加工速度のイオン入射角依存性を説明するためのグラフであり、この図６の（Ａ），（Ｂ），（Ｃ）を重ねたものが、図８である。
試料には、表面が(100)面で、表面を鏡面研磨した(100)シリコンウエハ（(100) Si）を用い、底面の一辺が４０μｍの窪み２を結晶異方性エッチングより初期形状として形成した。イオン加工装置には、カウフマン形イオン源を備えたイオンビーム装置を用いた。イオン化ガスにはアルゴン（Ar）を用いた。Arイオン照射条件は、加速電圧；２kV、イオン電流密度；１３ｍＡ/ｃｍ２とし、このときイオン照射室内圧力は５×１０−３Ｐａであった。
適当な大きさのＳｉウエハで（100）Siウエハの一部分をマスクしてイオン照射し、（100）Siウエハ表面にイオン照射部と未照射部を形成した。イオン照射時間２時間毎に試料をイオン照射室から取り出し、イオン照射部と未照射部の段差を表面粗さ計で測定して、イオン加工量（加工深さ）を求めた。同時に、初期形状が加工時間とともに変化する様子を、表面粗さ計により断面形状の測定、光学顕微鏡による形状観察から求めた。表面粗さ計の触針には、曲率半径５μｍのものを用いた。
イオン加工の特性を図７に基づき説明する。（Ａ）図は加工時間と加工量の関係を示す。加工量が加工時間に比例して増加しており、加工速度は５μｍ/ｈである。後述するように、形成される球面状凹部や円筒面状凹部の曲率半径は加工量によって制御することができる。しかし、イオン加工の進行中にイオン加工量を正確に測定することは一般に困難とされている。一方、加工時間の測定は容易であり、正確な値を得ることができる。（Ａ）図に示す加工量と加工時間の比例関係は、加工時間によって加工量を正確に制御できることを示している。
（Ｂ）図は、初期形状の形状変化に関して加工量と曲率半径の関係を示す。窪み２の底部からは球面状凹部が形成されるので、球面状の部分における曲率半径を求めた。いったん球面状凹部が形成されると、（Ｂ）図からわかるように、その曲率半径は加工量に比例して増加している。このことは、曲率半径が加工量によって正確に制御可能なことを示している。
【００３４】
［３］サファイヤに対するイオン加工速度Ｖのイオン入射角θ依存性の確認
図９に基づきサファイヤ中に対するイオン加工速度のイオン入射角依存性を説明する。
<0001>サファイア形状(Al2O3)基板のイオン加工速度について、イオン入射角依存性Ｖ（θ）を測定した。イオン加工装置には、カウフマン形イオン源を備えたイオンシャワー装置を用いた。イオン化ガスにはアルゴン（Ar）を用いた。Arイオン照射条件は、加速電圧；２kV、イオン電流密度；１３mA/cm2とし、このときイオン照射室内圧力は５×１０−３Paであった。イオン照射部と未照射部を形成し、それらの部分の段差からイオン加工速度を求める。このため、適当な大きさのシリコンウエハを用いて、サファイア基板の一部分をマスクし、イオンを照射し、イオン照射部と未照射部の段差を表面粗さ計で測定して、イオン加工量（加工深さ）を求めた。加工量をイオン照射時間で割り、加工速度を求めた。イオン照射方向に対するサファイア基板表面の傾き角を変えながら、このような加工速度の測定を繰り返した。一つの傾き角に対して、３時間イオンを照射した．入射角0において、加工速度は約1.98μｍ/ｈであった。
実験結果を図９に示す。θ＝０°，１０°，２０°の３点のデータから、最小二乗法を用いて式(5)の係数を求めたところ、
【数１８】
0004915877.tif 000019
となった。式(9)のＶｇｎは直接測定できない。式(9)を、式(3)，(7)を用いて変形して、
【数１９】
0004915877.tif 000020
を得る。上式に式(18)の値を代入し、各θに対するＶ（θ）の実験値を代入する。実験値によるθとＶｇｎの関係を求めることができる。これらの関係を、式(10)に式(18)の値を代入して求めたＶｇｎとともに図９に示す。また、式(10)のＢＶ０に対応する実験値は、式(18)から求められ、図９に示している。Ｖｇｎの実験値はθ＝０°からθ＝３５°付近までほぼ一定で、ＢＶ０と一致している。
以上の結果は、イオン入射角θが０°から３５°付近までは、実験から測定したＶ（θ）が式(5)の形で表現できることを示している。したがって、このイオン入射角の範囲において、<0001>サファイア形状基板表面に球面、円柱面、平面からなる形状を物理的なイオン加工により形成することができる。
【００３５】
<<本発明の技術原理>>
上記に述べた式（１０）のVgnを実験から求めた場合、イオン入射角０°からある角度θまで、Vgnが一定の基板があれば、初期形状を形成し、そこから球面状凹部、円柱面状凹部を成長させることができる。
このことを理論と実験から明らかにしたことに本発明の意義が存する。したがって、Vgn一定の材料を見つけることができれば、その材料からなる基板上に球面状凹部、円柱面状凹部を形成できるので、以下の実施例に示すもの以外の材料についても、本発明の技術原理が適用でき、本発明に含まれるものである。なお、初期形状の形成法は、とくに制限されず、種々の方法を採用してよい。
【００３６】
以下、本発明の実施例を説明する。
実施例１：サファイア基板を用い、初期形状をイオン加工で作ったもの
実施例２：サファイア基板を用い、初期形状をレーザー加工で作ったもの
実施例３：シリコン基板を用い、初期形状をイオン加工で作ったもの
実施例４：シリコン基板を用い、初期形状を化学エッチング加工で作ったもの
実施例５：シリコン基板を用い、初期形状を異方性エッチングの後に等法性エッチングで作ったもの
実施例６：シリコン基板を用い、初期形状をレーザー加工で作ったもの
【００３７】
実施例１
（初期形状工程）
初期形状を形成するため、厚さ0.05mmのステンレス製の薄板に、直径６０μmの貫通孔を形成したステンシル・マスク５を作製した。このステンシル・マスクをサファイア基板１表面に設置した状態で、加速電圧；２kV、イオン電流密度；１３mA/cm2でArイオンを照射し、貫通孔を通過するイオンにより初期形状を形成した。イオン照射時間を５時間とした。５時間照射後には、ステンシル・マスク５が殆どなくなっている状態となる。この結果、図１０（Ｂ）の光学顕微鏡写真に示すような凹部をサファイア基板表面に形成できた。図１１（Ａ）は、粗さ測定機にて、凹部の形状を測定した結果を示し、凹部の深さは4.7μmであった。図１０、図１１において、基板表面付近において凹部が下部よりも広がっているのは、ステンシル・マスク５とサファイア基板１との間に隙間があり、サファイア表面とマスク裏面の間で照射イオンが反射して、穴径を広げるためと考えられる。
（イオン加工工程）
このようにして初期形状を形成したサファイア基板１に、加速電圧；２kV、イオン電流密度；１３mA/cm2でArイオンを照射した。イオン照射時間5時間ごとにイオンシャワー装置から取り出し、サファイア基板表面の凹部を測定した。図１１〜図１５に、それぞれ、イオン照射時間５時間、１０時間、１５時間、２０時間、２５時間における光学顕微鏡写真と粗さ測定機による断面形状測定結果を示す。また、図１６〜図１８に、断面形状に円弧をフィッテングさせた場合をしめす。図１１の初期形状断面と比較すると、イオン照射時間が長くなるにつれて、初期形状が球面状に変化していることがわかる。イオン照射が１５時間以上になると、明らかに球面が成長し、断面形状においてはそれに一致する円弧を描くことができる。球面状凹部の周辺部のリング状の部分は、イオン照射をさらに続けて行えば、原理上なくなる。
以上のように、穴状の凹部を初期形状としてサファイア基板に形成し、そのサファイア基板に物理的なイオン加工をおこなうことによって球面状凹部が形成できることがわかる。
【００３８】
実施例２
（初期形状工程）
サファイア基板へ微細な穴を加工する方法として、集光したレーザー光を照射し、局所的に材料を除去する方法が周知の技術となっている。サファイアでは、光の透過率は波長に依存し、紫外線領域になると透過率が低下する。このため、サファイアの加工には、波長193nm、248nmなどのエキシマレーサー光、波長355nmのＹＡＧレーザー光（これはＹＡＧレーザー光の第３高調波）用いられている。レーザー光の集光状態、照射パワーなどの制御によって、微細穴の口径や深さを制御できる。このような集光シーザー光では、断面形状が針状の穴を形成できる。
また、化学エッチングにより初期形状を形成することも可能である。この場合、H2SO4とH3PO4の混合液、320℃でエッチングするとよい。
（イオン加工工程）
本実施例２においても実施例１と同様に球面状凹部３を形成することができた。
【００３９】
実施例３（イオン加工による初期形状形成）
（初期形状工程）
初期形状を形成するために、厚さ0.05mmのステンレス製の薄板に、直径６０μm の貫通孔を形成したステンシル・マスクを作製した。このステンシル・マスクをシリコン基板表面に設置した状態で、加速電圧；２kV、イオン電流密度；１３mA/cm2でArイオンを照射し、貫通孔を通過するイオンにより初期形状を形成した。イオン照射時間を５時間とした。５時間照射後には、ステンシル・マスクが殆どなくなっている状態となる。この結果、図１９（Ｂ）の光学顕微鏡写真に示すような凹部をシリコン基板表面に形成できた。図１９（Ａ）は、粗さ測定機にて、凹部の形状を測定した結果を示し、凹部の深さは２８μmであった。
（イオン加工工程）
このようにして初期形状を形成したシリコン基板に、加速電圧；２kV、イオン電流密度；１３mA/cm2でArイオンを照射した。イオン照射時間２時間ごとにイオンシャワー装置から取り出し、シリコン基板表面の凹部を測定した。図２０〜図２５に、それぞれ、イオン照射時間２時間、４時間、６時間、８時間、１０時間、１２時間後における光学顕微鏡写真と粗さ測定機による断面形状測定結果を示す。イオン照射時間が８〜１２時間と長くなると、断面形状は円弧でフィッテングできる。すなわち、初期形状は球面状凹部に変化している。イオン照射時間が１０時間を過ぎると、隣り合う球面状凹部の縁が接触し、隣り合う球面状凹部の接触部は線状になる。
【００４０】
実施例４（化学エッチングによる初期形状形成）
（初期形状工程）
シリコンに用いられる化学エッチングには、用いるエッチング液の組成によって、他の方向と比較して極端にエッチ速度が遅くなる結晶方向が存在する異方性エッチング、おおむね等方的に進行する等方性エッチング、転位などの結晶欠陥が存在する箇所にエッチピットを形成するエッチングがある。
異方性エッチング液には、１.KOH水溶液、２.EDP（エチレンジアミン、ピロカテコール）水溶液、３.TMAH(tetramethyl ammonium hydroxide)水溶液、などがある。いずれのエッチング液においても、SiO2、あるいはSi3N4をマスク材に用いることができる。
等方性エッチング液には、ふっ酸（HF）、硝酸（HNO3）、酢酸（CH3COOH）の混合液が用いられる。マスク材にはSiO2、Si3N4、 Auなどが用いられる。これら３液の混合比によって、エッチ速度の結晶方向依存性が変化し、エッチ面の粗さも変化する。さらに、完全な等方性を発現することは非常に困難である。
等方性エッチングを用いる場合、シリコンウエハの結晶面はなんでもよい。シリコンウエハの表面だけ、あるいは全面にマスク材からなる薄膜を付着させる。所定の位置に所定の大きさのピンホールをあける。ピンホールの形状は、円形、正方形、長方形などの適当な形でよい。この後、シリコンウエハをエッチング液の中に入れ、エッチングする。なお、このようなエッチング工程は、半導体デバイスの製造工程の一つであり、周知のことである。エッチングが終了すると、ピンホールの位置に凹部が形成される。この凹部の形状は、一般に球面にはならない。
（イオン加工工程）
つぎに、シリコン基板上のマスク材を除去する。このようにして、形成された凹部を初期形状にもつウエハに、イオン照射して、初期形状を球面状凹部に変化させる。イオン照射条件は、実施例３と同様でよい。
なお、マスク材からなる薄膜がシリコンウエハに残っていてもよいが、この場合、イオン照射すると、ピンホールを通過したイオンにより、初期形状の中心部が加工されて深くなっていく。この現象がマスク材が除去されるまで継続する。このように形成された凹部を初期形状として、イオン照射により球面状凹部が成長していく。
本製造法の長所としては、シリコンウエハの選択において、結晶面に関係なく、どのような結晶面のウエハも利用できる、という点が挙げられる。
【００４１】
実施例５
（初期形状工程）
異方性エッチングの後に等方性エッチングを用いる場合、(100)面を表面にもつシリコンウエハを基板に用いる。まず、結晶面方向に異方性をもつ化学エッチングにより、四角錐状の凹部あるいは、V溝状の凹部を形成する。その後、このウエハに対して、等方性の化学エッチングを施す。このようにして形成した凹部を初期形状とする。
（イオン加工工程）
初期形状を形成したウエハにイオン照射を施し、各初期形状から球面状凹部、あるいは円筒面状凹部を成長させる。
【００４２】
実施例６（集光したレーザー光による初期形状形成）
（初期形状工程）
シリコンウエハへ微細な穴を加工する方法として、集光したレーザー光を照射し、局所的に材料を除去する方法が周知の技術となっている。シリコンは、波長1.2〜15μmの光に対して透過性が高い。したがって、波長1.2μm 以下の光を発生するレーザー光によって穴加工をおこなうことができる。シリコン基板に、集光したレーザー光で穴加工することは周知の技術であり、断面形状が針状の穴を形成できる。
（イオン加工工程）
このように、初期形状としてレーザー光で形成した穴を有する基板にイオン照射する。イオン加工量が増大するにつれて、初期形状が球面状凹部に変化していく。
【産業上の利用可能性】
【００４３】
本発明は、マイクロレンズ用金型、マイクロレンズおよびそれらの製法として利用できる。
【図１】
0004915877.tif 000021
【図２】
0004915877.tif 000022
【図４】
0004915877.tif 000023
【図５】
0004915877.tif 000024
【図６】
0004915877.tif 000025
【図７】
0004915877.tif 000026
【図８】
0004915877.tif 000027
【図９】
0004915877.tif 000028
【図１６】
0004915877.tif 000029
【図１７】
0004915877.tif 000030
【図１８】
0004915877.tif 000031
【図２６】
0004915877.tif 000032
【図３】
0004915877.tif 000033
【図１０】
0004915877.tif 000034
【図１１】
0004915877.tif 000035
【図１２】
0004915877.tif 000036
【図１３】
0004915877.tif 000037
【図１４】
0004915877.tif 000038
【図１５】
0004915877.tif 000039
【図１９】
0004915877.tif 000040
【図２０】
0004915877.tif 000041
【図２１】
0004915877.tif 000042
【図２２】
0004915877.tif 000043
【図２３】
0004915877.tif 000044
【図２４】
0004915877.tif 000045
【図２５】
0004915877.tif 000046